(57)【要約】【課題】多種類のコンテンツが再生可能であり、且つ、各コンテンツに対して最適な音場処理等の信号処理を容易に選択設定することができるコンテンツ再生装置を提供する。【解決手段】複数態様の信号処理のうち選択された態様の信号処理を行う信号処理部を設ける。この信号処理の態様数よりも少ない選択肢で信号処理態様の選択を受け付け、選択された選択肢と入力されるコンテンツの種類に基づいて複数の信号処理の態様から１の態様を選択し、この選択された態様で入力されたコンテンツに対して信号処理を行う。【選択図】図４
2010278580.tif 000002
【特許請求の範囲】
【請求項１】
複数種類のコンテンツを入力するコンテンツ入力部と、
前記入力されたコンテンツに対して、複数態様の信号処理のうち選択された態様の信号処理を行う信号処理部と、
前記信号処理の態様数よりも少ない選択肢で信号処理態様の選択を受け付ける処理態様選択部と、
前記処理態様選択部によって選択された選択肢、および、前記コンテンツ入力部から入力されるコンテンツの種類に基づいて前記複数態様の信号処理から１の態様を選択し、この選択結果を前記信号処理部に指示する態様選択部と、
を備えたコンテンツ再生装置。
【請求項２】
前記複数種類のコンテンツは、ビデオコンテンツ、オーディオコンテンツ、ゲームコンテンツを含み、前記信号処理は、前記コンテンツに含まれるオーディオ信号に対する音場処理である請求項１に記載のコンテンツ再生装置。
【請求項３】
前記コンテンツ入力部から入力するコンテンツの種類の選択を受け付けるコンテンツ種類選択部を更に備えた請求項１または請求項２に記載のコンテンツ再生装置。
【発明の詳細な説明】
【技術分野】
【０００１】
この発明は、再生するオーディオ信号に対して複数種類の音場処理等の信号処理が可能なコンテンツ再生装置に関する。
【背景技術】
【０００２】
複数のＡＶ（オーディオ・ビデオ）機器を自由に組み合わせてＡＶシステムを構成するカスタム・インストレーションが広く行われている。カスタム・インストレーションにおいて、複数のソース機器を接続して多様なオーディオ・ビデオコンテンツの中から所望のものを自由に選択して再生するためにＡＶレシーバが用いられる（例えば非特許文献１）。
【０００３】
近年のＡＶレシーバは、ソース機器として、従来より一般的なＳＴＢ（セット・トップ・ボックス）、ＤＶＤプレーヤ、ＶＣＲ（ビデオ・カセット・レコーダ）デッキ等が接続されるほか、ｉＰｏｄ（登録商標）、ＵＳＢメモリ、パーソナルコンピュータ（ＨＤＤ）などの多種類のコンテンツを多数記憶することができる記憶装置がソース機器として接続可能になってきている。このため、再生されるコンテンツの種類も、たとえばオーディオコンテンツ、ビデオコンテンツ、フォトアルバム、ゲーム等極めて多様化している。
【先行技術文献】
【非特許文献】
【０００４】
【非特許文献１】Yamaha Corporation of America、“RX-V / RX-Z / RX-N Series, AV Receivers from Yamaha Electronics”、［online］、平成２１年、Yamaha Corporation of America、［平成２１年５月１５日検索］、インターネット＜URL：http://www.yamaha.com/yec/products/productdetail.html?CNTID=558249&CTID=5000300＞
【発明の概要】
【発明が解決しようとする課題】
【０００５】
ＡＶレシーバは、再生されたコンテンツのオーディオ信号に対して音場処理等の信号処理を施すが、再生されたコンテンツの種類に合わせた処理を施すことが好適である。またさらに、ユーザの好みやコンテンツの内容に合わせて、信号処理の設定を変更することが好ましい。したがって、再生されるコンテンツの多様化に応じて、ＡＶレシーバの信号処理部に設定される信号処理の態様も多様化させることが望まれる。
【０００６】
ユーザは、再生するコンテンツの種類や好み、コンテンツの内容などに応じて信号処理の態様を選択する必要があるが、多くの信号処理態様の選択をユーザに開放した場合、選択肢が多すぎてユーザが選択に迷ってしまう可能性がある上に、各信号処理態様の違いを明確にするため、その態様の説明を詳しく表示する必要があり、表示が煩雑になってしまう。そのため、ユーザによっては面倒に感じたり、最適でない音場で視聴を続けたりしてしまう可能性があった。
【０００７】
この発明は、多種類のコンテンツが再生可能であり、且つ、各コンテンツに対して最適な音場処理等の信号処理を容易に選択設定することができるコンテンツ再生装置を提供することを目的とする。
【課題を解決するための手段】
【０００８】
この発明は、複数種類のコンテンツを入力するコンテンツ入力部と、前記入力されたコンテンツに対して、複数態様の信号処理のうち選択された態様の信号処理を行う信号処理部と、前記信号処理の態様数よりも少ない選択肢で信号処理態様の選択を受け付ける処理態様選択部と、前記処理態様選択部によって選択された選択肢、および、前記コンテンツ入力部から入力されるコンテンツの種類に基づいて前記複数態様の信号処理から１の態様を選択し、この選択結果を前記信号処理部に指示する態様選択部と、を備えたことを特徴とする。
【０００９】
また、この発明は、前記複数種類のコンテンツがビデオコンテンツ、オーディオコンテンツ、ゲームコンテンツを含み、前記信号処理が前記コンテンツに含まれるオーディオ信号に対する音場処理であることを特徴とする。
【００１０】
さらに、この発明は、前記コンテンツ入力部から入力するコンテンツの種類の選択を受け付けるコンテンツ種類選択部を更に備えたことを特徴とする。
【発明の効果】
【００１１】
この発明によれば、ユーザにより同じ選択肢が選択された場合でも、再生されるコンテンツに合わせて信号処理の態様を切り換えるため、多種類の態様で信号処理を行う場合でもユーザは簡略な操作で最適の信号処理態様を選択することが可能になる。
【図面の簡単な説明】
【００１２】
【図１】この発明の実施形態であるＡＶレシーバを含むＡＶシステムの構成図
【図２】前記ＡＶレシーバのブロック図
【図３】前記ＡＶレシーバの制御部に記憶されているアクティビティテーブルを示す図
【図４】前記ＡＶレシーバの制御部に記憶されている音場選択テーブルを示す図
【図５】前記音場選択テーブルに基づく音場処理の選択の態様を説明する図
【図６】前記ＡＶレシーバのコンテンツ再生開始時の動作を示すフローチャート
【図７】前記ＡＶレシーバのコンテンツ再生開始時のＴＶ表示画面の例を示す図
【図８】前記ＡＶレシーバの音場選択時の動作を示すフローチャートおよびＴＶ表示画面の例を示す図
【発明を実施するための形態】
【００１３】
図１は、この発明の実施形態であるＡＶレシーバ１を含むＡＶシステムの構成図である。このＡＶシステムは、ＡＶレシーバ１に、複数のソース機器２、ＴＶ（モニタ）３、スピーカ４が接続されたいわゆるカスタムインストレーションのＡＶシステムである。
【００１４】
ＡＶレシーバ１は、複数のソース機器２から１つを選択するセレクタ機能、選択されたソース機器２から入力される音声信号を増幅してスピーカに出力するオーディオアンプ機能、ソース機器２から入力される映像信号を下流側のＴＶ３に出力するレピータ機能、ＦＭ放送などのラジオ放送を受信するチューナ機能、ユーザの操作に応じてソース機器２、ＴＶ３を制御するコマンダ機能等を有している。
【００１５】
ＡＶレシーバ１に上流側装置として接続されるソース機器２としては、たとえば、ＳＴＢ（セット・トップ・ボックス）２１、ＤＶＤプレーヤ２２、ゲーム機（Ｇａｍｅ）２３、パーソナルコンピュータ（ＰＣ）２４、ＵＳＢメモリ２５、ｉＰｏｄ（登録商標）２６等がある。ＳＴＢ２１は、ケーブルまたは衛星から受信したテレビ放送を再生する再生部を有している。ＤＶＤプレーヤ２２は、セットされたディスクを再生する再生部を有している。ゲーム機２３は、セットされたＤＶＤ等のメディアに基づきゲーム音声やゲーム画像を再生する再生部を有している。ＰＣ２４は、オーディオコンテンツやビデオコンテンツ等を記憶する記憶部（ＨＤＤ）を有しているとともに、これらコンテンツを再生する再生機能も有している。ＵＳＢメモリ２５は、オーディオコンテンツ等のコンテンツを記憶する記憶部を有している。また、ｉＰｏｄ２６は、オーディオコンテンツやビデオコンテンツ等を記憶する記憶部（ＨＤＤやフラッシュメモリ）を有しているとともに、これらコンテンツを再生する再生機能も有している。
【００１６】
ＡＶレシーバ１の下流側装置として接続されるＴＶ３は、主として、ＡＶレシーバ１から入力される映像を表示するためのモニタとして使用される。
【００１７】
また、ＡＶレシーバ１は、リモコン５が発生した赤外線のリモコン信号を受信するためのリモコン信号受信部１２を有している。
【００１８】
図２は、ＡＶレシーバ１のブロック図である。  
ＡＶレシーバ１（の背面）には、上記複数のソース機器２を接続するための各種コネクタが設けられている。ＡＶレシーバ１に設けられているコネクタは、ＨＤＭＩコネクタ４１，４２、アナログコネクタ４３、ＬＡＮコネクタ４４、ＵＳＢコネクタ４５、ｉＰｏｄ専用コネクタ４６等である。なお、各コネクタはトランシーバ等の物理層の回路を含むものとする。
【００１９】
このうち、ＨＤＭＩコネクタ４１、４２には、ＳＴＢ２１、ＤＶＤプレイヤ２２が接続されている。アナログコネクタ４３にはゲーム機２３が接続されている。ＬＡＮコネクタ４４にはＬＡＮを介してＰＣ２４が接続されている。ＵＳＢコネクタ４５にはＵＳＢメモリ２５が接続されている。ｉＰｏｄ専用コネクタ４６にはｉＰｏｄ２６が接続されている。なお、各コネクタと接続されるソース機器の組み合わせは、この実施形態に限定されない。
【００２０】
ＨＤＭＩコネクタ４１、４２はセレクタ１４に接続され、アナログコネクタ４２は、Ａ／Ｄコンバータ１７を介してセレクタ１４に接続され、ＬＡＮコネクタ４４、ＵＳＢコネクタ４５、専用ベイ４６は、周辺機器インタフェース１６を介してセレクタ１４に接続されている。また、セレクタ１４には、内蔵のソース機器として、チューナ１８、制御部１０も接続されている。チューナ１８はＦＭ放送などの放送音声を受信再生する装置である。制御部１０はマイコン等で構成されており、ＰＣ２４やｉＰｏｄ２６と通信する機能やセレクタ１４を切り換える機能を有するとともに、各種操作ガイド、設定ウィザード等のＯＳＤ等を表示する機能を有し、ＯＳＤを表示するときソース機器として機能する。
【００２１】
制御部１０は、リモコン５や操作・表示部１１から入力される切換操作等に応じてセレクタ１４を切り換え、ソース機器を選択する。
【００２２】
セレクタ１４には、オーディオ信号を含むビデオ信号、オーディオ信号のみ、または、映像のみのビデオ信号が入力される。セレクタ１４は、選択した機器のオーディオ信号をオーディオ信号処理部３０に出力し、選択した機器のビデオ信号をＨＤＭＩトランスミッタ３４に出力する。ＨＤＭＩトランスミッタ３４にはＴＶ３が、ＨＤＭＩケーブルを介して接続されている。
【００２３】
オーディオ信号処理部３０は、音場処理部３０Ａを備え、入力されたオーディオ信号に対して音場処理を行う。音場処理とは、擬似的な空間におけるオーディオ信号の響きを信号処理によってオーディオ信号に付加する処理である。音場処理部３０Ａは、図４に示すように、音場１（Ｍｕｓｉｃ  Ｖｉｄｅｏ）、音場２（Ｍｏｖｉｅ１）、音場３（Ｓｐｏｒｔｓ）、音場４（Ｊａｚｚ  Ｃｌｕｂ）、音場５（Ｍｏｖｉｅ２）、音場６（Ｈａｌｌ  Ａ）、音場７（Ａｃｔｉｏｎ  Ｇａｍｅ）の７種類の態様の音場処理が可能である。オーディオ信号処理部３０（音場処理部３０Ａ）は、制御部１０からの指示に応じて、いずれかの態様を選択して、入力されたオーディオ信号に対して音場処理を行う。
【００２４】
オーディオ信号は、オーディオ信号処理部３０で、上記音場処理に加えてイコライジング、音質制御等の信号処理がされたのち、Ｄ／Ａコンバータ３１でアナログ信号に変換される。このアナログ信号がオーディオアンプ３２で増幅され、スピーカ４に入力される。なお、オーディオーアンプ３２がディジタルアンプの場合、Ｄ／Ａコンバータ３１は、オーディオ信号をＰＣＭコードからＰＷＭ信号に変換する回路で構成される。
【００２５】
リモコン５は、ＡＶレシーバ１の電源のオン／オフする電源ボタン、カーソル移動ボタン、決定ボタン等を有している。ユーザがボタンを操作すると、リモコン５は、その操作されたボタンに対応する赤外線のリモコン信号を発生する。ＡＶレシーバ１は、リモコン５が発生した赤外線信号を受信するリモコン信号受信部１２を備えている。リモコン信号受信部１２は、リモコン５が発生したリモコン信号を受信すると、そのコマンドコードを解析して制御部１０に入力する。制御部１０は、リモコン信号受信部１２から入力されたコマンドコードに基づき、ＴＶ３に表示するＯＳＤ画面を切り換えたり、セレクタ１４を切り換えるなどの対応する処理を実行する。
【００２６】
ここで、ＡＶレシーバ１におけるコンテンツの分類とユーザによる選択手順について説明する。このＡＶレシーバ１では、コンテンツをＬｉｓｔｅｎ，Ｗａｔｃｈ，Ｐｌａｙの３種類に分類している。Ｌｉｓｔｅｎは、耳で聴いて楽しむコンテンツであり、オーディオコンテンツである。Ｗａｔｃｈは、眼で見て楽しむコンテンツであり、ビデオコンテンツである。また、Ｐｌａｙは、ユーザが自分で操作して楽しむコンテンツであり、たとえばゲームやフォトアルバム（画像）コンテンツである。これら、Ｌｉｓｔｅｎ，Ｗａｔｃｈ，Ｐｌａｙの３つのコンテンツの種類を、このＡＶレシーバ１では、アクティビティと呼んでいる。
【００２７】
図３は、アクティビティテーブルを示す図である。アクティビティテーブルは、各ソース機器２が再生可能なアクティビティを分類したテーブルであり、制御部１０に記憶されているものである。この図によれば、ケーブル放送や衛星放送のテレビ放送を受信するＳＴＢ２１が再生可能なアクティビティは、Ｗａｔｃｈのみである。また、ＤＶＤプレーヤ２２の再生可能アクティビティは、ＷａｔｃｈとＬｉｓｔｅｎである。すなわちＤＶＤで映画等のビデオコンテンツ（Ｗａｔｃｈ）を再生できるとともに、ＣＤの音楽コンテンツ（Ｌｉｓｔｅｎ）も再生可能だからである。またゲーム機２３はゲーム（Ｗａｔｃｈ）のみ、チューナ（Ｔｕｎｅｒ）１８はＬｉｓｔｅｎのみである。また、ＰＣ２４は、ハードディスク（ＨＤＤ）に動画、音楽、画像の全てのコンテンツを蓄積記憶することができるため、Ｌｉｓｔｅｎ，Ｗａｔｃｈ，Ｐｌａｙの全てが再生可能である。ＵＳＢメモリ２５は、音楽コンテンツ（Ｌｉｓｔｅｎ）、静止画（Ｐｌａｙ）が再生可能である。また、ｉＰｏｄ２６は、音楽コンテンツ（Ｌｉｓｔｅｎ）と動画（Ｗａｔｃｈ）が再生可能である。
【００２８】
このアクティビティテーブルにおける各ソース機器に対するアクティビティの割り当ては、予め記憶されていてもよく、ソース機器が接続されるときにユーザによって設定されるものであってもよい。
【００２９】
ユーザは、コンテンツを再生するとき（再生するコンテンツを選択するとき）、まずアクティビティを選択する。ＡＶレシーバ１は、アクティビティテーブルを参照して、選択されたアクティビティを再生可能なソース機器を選択してＴＶ３に表示する。ユーザは、表示されたソース機器のなかから所望のソース機器を選択する。そうすると、ＡＶレシーバ１は、選択されたソース機器で再生可能な（記憶している）コンテンツのなかから、先に選択されたアクティビティのもののみを抽出して表示する。ユーザが、表示されたコンテンツのなかから所望のものを選択すれば、ＡＶレシーバ１はそのコンテンツを再生する（再生すべくソース機器を制御する）。
【００３０】
図４は音場選択テーブルを示す図である。音場選択テーブルは、ユーザによる音場選択と、再生されるアクティビティに応じて選択される音場処理態様を記憶したテーブルである。上述したように音場処理部３０Ａは７種類の態様（音場１〜音場７）の音場処理を行う。ユーザには、３種類の音場選択肢（Ｍｕｓｉｃ、Ｍｏｖｉｅ、Ｅｎｔｅｒｔａｉｎｍｅｎｔ）が開放されている。ユーザによって選択された音場選択肢と、再生されるコンテンツの種類（アクティビティ：Ｗａｔｃｈ、Ｌｉｓｔｅｎ、Ｐｌａｙ）に応じて、音場１〜音場７のいずれかが選択される。
【００３１】
図５は、図４の音場選択テーブルに基づく音場処理態様の選択の流れを示す図である。コンテンツの再生時に、ユーザによりアクティビティ（Ｗａｔｃｈ、Ｌｉｓｔｅｎ、Ｐｌａｙ）が選択される。次に、選択されたアクティビティに属するコンテンツが選択され、このコンテンツが再生される。一方、事前にまたはその後、ユーザによって音場選択肢（Ｍｕｓｉｃ、Ｍｏｖｉｅ、Ｅｎｔｅｒｔａｉｎｍｅｎｔ）のいずれかが選択される。この選択肢と再生されるコンテンツのアクティビティに基づき音場処理態様（音場１〜音場７）が決定され、音場処理部３０Ａに設定される。
【００３２】
これにより、ユーザは、Ｍｕｓｉｃ、Ｍｏｖｉｅ、Ｅｎｔｅｒｔａｉｎｍｅｎｔの３つの選択肢を選択するのみで、そのとき再生されるコンテンツの種類に応じた適切な音場処理態様が選択される。
【００３３】
すなわち、同じ音楽を再生する場合であっても、ＤＶＤ等で映像とともに楽音が再生される場合（すなわち「Ｗａｔｃｈ」）、ＣＤ等で楽音のみが再生される場合（すなわち「Ｌｉｓｔｅｎ」）などそれぞれのアクティビティで好ましい音場は若干異なる。そこで、ユーザが「Ｍｕｓｉｃ」を選択した場合でも、そのときのアクティビティに応じて音場処理の態様を変更（前者は音場１、後者は音場４）することにより、ユーザに容易に選択できる少ない選択肢を開放しつつ、きめ細かい音場処理を可能にしている。
【００３４】
図６は、制御部１０のコンテンツ再生開始時の動作を示すフローチャートである。図７は、そのときのＴＶ３の画面表示例を示す図である。  
ユーザによりコンテンツ選択の操作があると、まずセレクタ１４を制御部１０に切り換える（Ｓ１）。これは、以下の図７（Ａ）〜（Ｃ）の選択画面をＯＳＤとしてＴＶ３に表示するためである。次に、図７（Ａ）に示すようなアクティビティ選択画面をＴＶ３に表示する（Ｓ２）。この表示に応じたユーザによるアクティビティの選択を受け付ける（Ｓ３）。アクティビティの選択操作が行われると、図３のアクティビティテーブルを参照して、選択されたアクティビティを再生可能なソース機器を抽出する（Ｓ４）。そして、抽出されたソース機器を選択する機器選択画面（図７（Ｂ）参照）を表示する（Ｓ５）。
【００３５】
この表示に応じたユーザによるソース機器の選択を受け付ける（Ｓ６）。ソース機器の選択操作が行われると、このソース機器にアクセスし、このソース機器が再生可能なコンテンツのうち、先に選択されているアクティビティに該当するものを抽出する（Ｓ７）。
【００３６】
この抽出処理は、たとえばＵＳＢメモリ２５等のストレージの場合には、ＡＶレシーバ１の制御部１０が周辺機器インタフェース１６を介してストレージにアクセスして記憶されているファイルを確認し、このなかから指定されたアクティビティに対応するコンテンツを抽出する動作である。また、ｉＰｏｄ２６のようにインテリジェントな装置の場合には、制御部１０が周辺機器インタフェース１６を介して、指定されたアクティビティに対応するコンテンツのリストを要求し、相手装置（ｉＰｏｄ２６）の制御から該当するコンテンツのリストを取得する動作となる。
【００３７】
そして、コンテンツ選択画面（図７（Ｃ）参照）を表示する（Ｓ８）。この表示に応じたユーザによるコンテンツの選択を受け付ける（Ｓ９）。ユーザによってコンテンツが選択されると、セレクタ１４を選択されたソース機器に切り換える（Ｓ１１）。そして、そのとき選択されている音場選択肢とＳ３で選択されたアクティビティで音場選択テーブルを検索して音場処理態様を決定する（Ｓ１２）。この音場処理態様をオーディオ信号処理部３０（音場処理部３０Ａ）に指示する（Ｓ１３）。こののち、選択されたコンテンツの再生を開始する（Ｓ１４）。このコンテンツの再生開始は、ＡＶレシーバ１自身がそのコンテンツを再生する（たとえばＭＰＥＧ２ファイルを読み出してデコードする）場合のほか、ソース機器２に対してコンテンツの再生を開始するよう指示する動作を含む。なお、選択されたソース機器がＳＴＢ２１やチューナ１８の場合、これらの機器は常時放送を受信・再生しているため、Ｓ１４の再生開始処理は不要である。
【００３８】
なお、Ｓ９の選択操作でコンテンツを選択せず「戻る」操作をした場合（Ｓ１０）には、ソース機器選択画面の表示動作（Ｓ５）にもどる。
【００３９】
図８（Ａ）は、ユーザによる音場選択肢の選択時の動作を示すフローチャートである。ユーザにより音場を選択する旨の操作が行われると（Ｓ２０）、制御部１０は、音場選択肢をＴＶ３の画面に図８（Ｂ）のように表示する（Ｓ２１）。この音場選択肢は、そのとき再生されているコンテンツに重ねてＯＳＤとして表示される。音場選択肢を表示しつつ、ユーザによる音場選択肢の選択を受け付ける（Ｓ２２）。音場選択肢が選択されると、選択された音場選択肢、再生されているアクティビティで音場選択テーブルを検索し、音場処理態様を決定する（Ｓ２３）。そして、この音場処理態様をオーディオ信号処理部３０の音場処理部３０Ａに指示する（Ｓ２４）。なお、そのときコンテンツが再生されていないときには、Ｓ２２で選択された音場選択肢をレジスタに記憶するのみで、Ｓ２３、Ｓ２４の処理は行わなくてもよい。
【００４０】
この実施形態では、ＡＶレシーバ１をコンテンツ再生装置としたが、コンテンツ再生装置の具体的構成はＡＶレシーバに限定されない。また、この実施形態ではコンテンツの種類を３種類のアクティビティ（Ｗａｔｃｈ、Ｌｉｓｔｅｎ、Ｐｌａｙ）としたが、コンテンツの種類の分類はこれに限定されない。
【００４１】
また、この実施形態では、ユーザがアクティビティを選択することによりソース機器、コンテンツの絞り込みを行っているが、ソース機器またはコンテンツを直接指定するようにしてもよい。この場合、選択されたソース機器やコンテンツに基づいて、そのアクティビティ（コンテンツ種類）を検出し、このコンテンツ種類と選択された音場選択肢に基づいて音場処理態様を決定すればよい。
【００４２】
また、音場選択肢は、Ｍｕｓｉｃ、Ｍｏｖｉｅ、Ｅｎｔｅｒｔａｉｎｍｅｎｔの３種類に限定されない。この選択肢は、再生されるオーディオ信号の種類を基づく選択肢であるが、リスナー（ユーザ）の好みを表す選択肢（たとえば、明るい、温かい、ブリリアントなど）であってもよい。
【００４３】
信号処理の対象はオーディオ信号に限定されず、たとえば映像信号であってもよい。また、信号処理の内容は音場処理に限定されない。たとえば、エフェクトやイコライザ等の他の信号処理でもよい。
【符号の説明】
【００４４】
１  ＡＶレシーバ
２  ソース機器
３  ＴＶ
１０  制御部
３０  オーディオ信号処理部
３０Ａ  音場処理部
【図１】
2010278580.tif 000003
【図２】
2010278580.tif 000004
【図３】
2010278580.tif 000005
【図４】
2010278580.tif 000006
【図５】
2010278580.tif 000007
【図６】
2010278580.tif 000008
【図７】
2010278580.tif 000009
【図８】
2010278580.tif 000010